(57)【特許請求の範囲】
【請求項１】
搬送者が子供を保持して搬送するための子供の保持具において、
前記搬送者の腰の部分に着脱可能に装着するための第１の支持部材と、
前記搬送者の肩の部分に掛けるための第２の支持部材と、
前記第１の支持部材と前記第２の支持部材が取り付けられていて、前記子供の体を保持するための保持部材であり、前記第２の支持部材を収納するための収納体を兼ねている前記保持部材と、
前記保持部材の内面側に固定されたカバー部材と、前記保持部材が前記第２の支持部材と前記カバー部材を収納した状態で前記保持部材を２つ折りにして開閉可能に閉じるために前記保持部材に設けられた閉鎖手段と、を備え、
前記カバー部材は、前記保持部材の側部からさらに側方に突出している突出部を有し、前記突出部を含む前記カバー部材は、前記第２の支持部材と共に前記保持部材の中に収納可能であり、
前記カバー部材の前記突出部は、前記第２の保持部材の前記内面側から外面側に折り曲げて前記外面側に固定することにより、前記子供の脚に対応する前記閉鎖手段の部分をカバーする構成である
ことを特徴とする子供の保持具。
【請求項２】
前記第１の支持部材は、着脱可能な止め具と、前記止め具により接続されるベルトを有する請求項１に記載の子供の保持具。
【請求項３】
前記第２の支持部材は、前記子供の背の部分を保持する背当てを備える請求項１に記載の子供の保持具。
【請求項４】
前記第１の支持部材は、前記保持部材の外面側に取り付けられていると共に、前記第２の支持部材の端部は、前記保持部材の内面側に取り付けられている請求項１に記載の子供の保持具。
【請求項５】
前記閉鎖手段は、ファスナーであり、このファスナーは前記保持部材の周囲に沿って配置されている請求項１に記載の子供の保持具。
【請求項６】
前記第１の部材と前記第２の部材は、それぞれの長さを調整可能にする調整部材を備える請求項１に記載の子供の保持具。
【請求項７】
前記第２の部材の前記背当ては、長さを調整可能にする調整部材を備える請求項２に記載の子供の保持具。
【請求項８】
前記背当ての前記調整部材は、保護部材により保護されている請求項７に記載の子供の保持具。
【発明の詳細な説明】
【０００１】
【産業上の利用分野】
本発明は、搬送者が子供（乳幼児あるいは幼児）を保持して搬送するための保持具に関するものである。
【０００２】
【従来の技術】
親等の搬送者が、乳幼児や幼児のような子供を保持して搬送するための保持部を用いる。この保持具は、色々な種類のものが提案されている。
たとえば、保持具は、幼児を搬送者の体の前面側に抱きかかえるようにして保持して搬送する形式のものがあり、このタイプのものでは幼児の体重を肩に掛けたベルトにより支えている。
【０００３】
【発明が解決しようとする課題】
ところが、このような従来の保持具では、次のような問題がある。
従来の保持具は、肩に掛けるベルトや子供の体を支えるための部分、その他に子供の体の揺れを防ぐためのベルト等を有していて、複雑な構造になっている。このような従来の保持具を用いて子供を搬送した後子供を保持具から降ろした時には、これらのベルトや子供の体を支える部分等を丸めて袋等に入れて運ぶようにしている。つまり従来の保持具では携帯には不便であり、しかも再度保持具を用いて子供を搬送する場合に、その搬送者が保持具を装着して子供を保持する作業が面倒であり時間がかかる。
【０００４】
そこで、子供を保持具で搬送しない場合には、収納バックにベルト等を収納してその収納バックを手で持ち歩くようにしたものが実開昭６３−１２０９６５号公報に開示されている。
【０００５】
ところが、このようにすべてのベルト等を収納する収納バックであると、未使用時には手で持って運んだり、別のバックに入れて運ばなければならず、使用勝手が悪い。しかも、収納バックからベルト等を出して子供を保持する場合には、各種のベルト等を搬送者の体に装着しなければならず、面倒であり時間がかかる。
【０００６】
本発明は上記課題を解消するためになされたものであり、子供を搬送しない状態で携帯する場合には、非常にコンパクトに収めて、常時搬送者の体にコンパクトに保持することができ、子供を搬送する場合にはその搬送状態から即座に展開して子供を保持することができる子供の保持具を提供することを目的としている。
【０００７】
【課題を解決するための手段】
上記目的は、本発明にあっては、搬送者が子供を保持して搬送するための子供の保持具において、前記搬送者の腰の部分に着脱可能に装着するための第１の支持部材と、前記搬送者の肩の部分に掛けるための第２の支持部材と、前記第１の支持部材と前記第２の支持部材が取り付けられていて、前記子供の体を保持するための保持部材であり、前記第２の支持部材を収納するための収納体を兼ねている前記保持部材と、前記保持部材の内面側に固定されたカバー部材と、前記保持部材が前記第２の支持部材と前記カバー部材を収納した状態で前記保持部材を２つ折りにして開閉可能に閉じるために前記保持部材に設けられた閉鎖手段と、を備え、前記カバー部材は、前記保持部材の側部からさらに側方に突出している突出部を有し、前記突出部を含む前記カバー部材は、前記第２の支持部材と共に前記保持部材の中に収納可能であり、前記カバー部材の前記突出部は、前記第２の保持部材の前記内面側から外面側に折り曲げて前記外面側に固定することにより、前記子供の脚に対応する前記閉鎖手段の部分をカバーする構成である子供の保持具により、達成される。
【０００８】
本発明にあっては、好ましくは前記第１の支持部材は、着脱可能な止め具と、前記止め具により接続されるベルトを有する。
本発明にあっては、好ましくは前記第２の支持部材は、前記子供の背の部分を保持する背当てを備える。
本発明にあっては、好ましくは前記第１の支持部材は、前記保持部材の外面側に取り付けられていると共に、前記第２の支持部材の端部は、前記保持部材の内面側に取り付けられている。
本発明にあっては、好ましくは前記閉鎖手段は、ファスナーであり、このファスナーは前記保持部材の周囲に沿って配置されている。
【０００９】
本発明にあっては、好ましくは前記第１の部材と前記第２の部材は、それぞれの長さを調整可能にする調整部材を備える。
本発明にあっては、好ましくは前記第２の部材の前記背当ては、長さを調整可能にする調整部材を備える。
本発明にあっては、好ましくは前記背当ての前記調整部材は、保護部材により保護されている。
【００１０】
【作用】
請求項１の発明によれば、最初に保持具により子供を保持して搬送する場合には、第１の支持部材を搬送者の腰の部分に装着し、かつ第２の支持部材を搬送者の肩の部分に掛ける。そして保持部材に対して子供の体を載せて子供を第１の支持部材と第２の支持部材により搬送者に対して支えるようになっている。
これに対して、保持具から子供を降ろす場合には、第１の支持部材は搬送者の腰の部分に装着したままの状態で、第２の支持部材だけを収納体を兼ねている保持部材の中に収納する。これにより、搬送者は保持部材を第１の支持部材で腰の部分に保持したまま移動できる。
再び保持具により子供を保持して搬送する場合には、すでに第１の支持部材は搬送者の腰の部分に装着しているので、第２の支持部材のみを搬送者の肩の部分に装着すればよい。このため、子供を再度保持する作業が短時間でできる。
【００１１】
請求項２の発明によれば、第１の支持部材は、着脱自在な止め具により搬送者の腰の部分に対して着脱可能に装着することができる。
請求項３の発明によれば、第２の支持部材が背当てを備えるので、この背当てにより子供の背の部分を保持して、子供の背の反りを防ぐ。
請求項４の発明によれば、保持部材の外面側に第１の支持部材が取り付けられており、しかも保持部材の内面側に第２の支持部材の端部が取り付けられているので、第２の支持部材のみを、保持部材の内部に容易に収納することができ、この場合に第１の支持部材がこの第２の支持部材を収納する作業に邪魔にならない。
【００１２】
請求項５の発明によれば、第２の支持部材を保持部材の内部に収納する際に、閉鎖手段により完全に閉じることができる。これにより保持部材から外部に第２の支持部材が飛び出すようなことがなくなる。
請求項６の発明によれば、閉鎖手段としてファスナーを用いることにより、簡単に第２の支持部材を保持部材の内部に収納して閉じ込めることができる。
請求項７の発明によれば、ファスナーが子供の脚の部分に当たるところにカバー部材を設けているので、このカバー部材は緩衝材となって、ファスナーが子供の脚の部分などに触れたり当たることがなくなる。
【００１３】
請求項８の発明によれば、このカバー部材は、第２の支持部材と共に保持部材の中に収納できるので、収納状態における保持部材の外観がすっきりする。
請求項９の発明によれば、第１の部材と前記第２の部材はそれぞれ長さが調整できるので、搬送者の体形や子供の体形に合せて自由にその長さを設定できる。請求項１０の発明によれば、第２の部材の背当ても長さの調整が可能であるので、子供の大きさに合せてその長さを変えることができる。
請求項１１の発明によれば、その背当ての調整部材は、保護部材により保護されているので、子供の背がこの背当ての調整部材に直接当たるのを防ぐことができる。
【００１４】
【実施例】
以下、本発明の好適な実施例を添付図面に基づいて詳細に説明する。
なお、以下に述べる実施例は、本発明の好適な具体例であるから、技術的に好ましい種々の限定が付されているが、本発明の範囲は、以下の説明において特に本発明を限定する旨の記載がない限り、これらの態様に限られるものではない。
【００１５】
図１と図２は、本発明の子供の保持具の好ましい実施例を示している。図１と図２の子供の保持具は、子供を搬送しない場合であって、親等の搬送者Ｃが子供の保持具を携帯するための収納状態を示している。
図１では、子供の保持具１の保持部材２と第１の支持部材３を示している。第１の支持部材３は、図２に示すように、搬送者Ｃの腰Ｗの部分に対して着脱可能に装着できるものである。この第１の支持部材３は、保持部材２に対して取り付けられている。従って子供を搬送しない場合には、搬送者Ｃは、この第１の支持部材３により、いわゆるウエストバックのようなやり方で、保持部材２を腰Ｗの部分に装着して容易に搬送することができるようになっている。
【００１６】
図１に示すように、保持部材２は、閉鎖手段であるファスナー４により、３つの側部５，６，７が開閉可能になっている。つまり、ファスナー４のスライダー８を図１の矢印Ｘ方向に移動することにより、保持部材２の３つの側部５，６，７を順次開いていくことができる。このスライダー８は、ツマミ９を持って矢印Ｘ方向もしくはその反対方向に移動することができる。
図３は、図１と図２に示した保持部材２のファスナー４を開いて展開した状態を示しており、図３では保持部材２の内面側１０を示していて、図４は保持部材２の外面側１１を示している。保持部材２は、２つ折りの状態で折り畳むことができ、バックル３０と前当て部３１を有している。
【００１７】
図３に示すように、保持部材２は、たとえば合皮により作られており、その外面は好ましくは発水処理が施されている。保持部材２の外周部分は、ミシン目１２により、ナイロンテープを介して袋状に縫い付けられている。保持部材２の内面側１０は、ベース布２Ａにより覆われている。
保持部材の側部５，６，７にそって、ファスナー４が縫い付けて取り付けられている。ファスナー４の端部４ａと４ｂは、それぞれ向い合うようにして配置されている。
【００１８】
図３と図４に示すように、子供の保持具１は、上述した保持部材２、第１の支持部材３、第２の支持部材１３を有している。
第１の支持部材３は、腰ベルトともいい、図２に示すように搬送者である親の腰Ｗの部分に回して止めるようになっている。第１の支持部材３のベルト部３ａの一端と他端には雄のバックル１４と雌のバックル１５が設けられている。この雄のバックル１４は、雌のバックル１５に対して着脱可能に連結することができるようになっている。しかも雄のバックル１４側にはベルト部３ａの長さを調整するための調整手段３ｂを備えている。これにより搬送者Ｃの腰Ｗの部分の大きさに合せて第１の支持部材３のベルト部３ａの長さを調整することができる。
【００１９】
図４に示すように、第１の支持部材３のベルト部３ａの中央部は、保持部材２の外面側１１の一端側１１ａに対して、たとえば縫い取り１６により取り付けられている。
【００２０】
次に第２の支持部材１３について説明する。
図３と図４の第２の支持部材１３は、図５に示すように搬送者Ｃ（図２参照）の肩の部分に掛けるためのものである。第２の支持部材１３は、第１ベルト２０、第２ベルト２１および調整ベルト２２等を有している。調整ベルト２２は、背当てベルトである。
【００２１】
図３に示すように、第１ベルト２０の一端側２０は、第１の支持部材３の付近において、保持部材２の内面側１０に対してたとえば縫い取りにより固定されている。しかし、第１ベルト２０の中間部分２０ｃは、保持部材２のテープ２３を通してあり、第１ベルト２０の他端２０ａは自由端になっている。このテープ２３は、保持部材２の内面側１０に対して一端と他端が固定されている。この斜めに設けられたテープ２３により、第１ベルト２０の中間部分２０ｃが、保持部材２のベース布２Ａに対して縫い付けずに保持することができる。しかもこのテープ２３があることにより、保持部材２のバックル（背当て部）３０を持ち上げて、子供Ｋの腰を確実に保持することができるようになっている。
【００２２】
第２ベルト２１の一端２１ａは、第１ベルト２０の一端と同様にして第１の支持部材３の付近において縫い取りにより保持部材２の内面側１０に対して取り付けられている。この第２ベルト２１の中間部分２１ｄは、第１ベルト２０の中間部分２０ｄと図３に示すように好ましくはＸ字状に交差している。そして第２ベルト２１の中間部分２１ｃは、第１ベルト２０の中間部分２０ｃと同様にテープ３２を通している。これにより保持部材２の背当て３０を持ち上げる役目を果す。
【００２３】
第１ベルト２０の中間部分２０ｅと第２ベルト２１の中間部分２１ｅには、背当てベルトとしての調整ベルト２２の一端と他端が縫い取りにより固定されている。調整ベルト２２の中間には、図４に示すように、雄のバックル３４ａと雌のバックル３４ｂが着脱可能に連結されている。
この雄のバックル３４ａ側は、ベルト部３５の長さを調整するための調整手段３６となっている。雄のバックル３４ａと雌のバックル３４ｂは、背当ての保護部材４０によりカバーして保護することができるようになっている。このように背当ての保護部材４０によりバックル３４ａ，３４ｂを被覆して保護することで、子供の背に対して直接バックル３４ａ，３４ｂが当たるのを防止している。
【００２４】
背当ての保護部材４０は、たとえば合皮により作られていて、面ファスナー４１によりバックル３４ａ，３４ｂを包み込むことができる。
第１ベルト２０と第２ベルト２１は、たとえばアクリルテープを袋とじ織りすることで作ることができる。背当てベルト２２は、アクリルバーバス織りで作ることができる。第２ベルト２１の他端に近い部分には肩当て４２が設けられている。この肩当て４２は、搬送者Ｃの体型に応じて矢印Ｚ方向に移動して用いることができる。この肩当て４２は、搬送者Ｃの肩への荷重を和らげる効果があり搬送者の肩に掛けるものである。
【００２５】
第２ベルト２１の他端には調整バックル４３が取り付けられている。この調整バックル４３に対しては、第１ベルト２０の自由端２０ａが通して取り付けられる。これにより第１ベルト２０と第２ベルト２１の連結した状態におけるベルトの長さを調整することができる。この調整バックル４３は引くことによって長さを調整する通常用いられている長さ調整用のバックルであり、自由端２０ａを引くことによって長さを短く調整することができ、自由端２０ａを調整バックル４３に対して戻すことにより長さを長くすることができる。調整ベルトともいう背当てベルト２２は、子供の背を支えるためのものであり、子供の背が後側へ反るのを止めることができる。
【００２６】
図３に示すように、保持部材２の内面側１０には、カバー部材５０が固定されている。このカバー部材５０は、突出部５１，５２，５３，５４を有している。突出部５３，５４は、保持部材２の内面側１０に対して縫い取りにより固定されている。これに対して残りの２つの突出部５１，５２は、保持部材２の長手方向の側部４，７からさらに側方に突出している。
突出部５１，５２にはそれぞれ雄のファスナー６０，６０が取り付けられている。この雄のファスナー６０，６０に対して、図４に示すように保持部材２の外面側１１には、雌のファスナー６１，６１が取り付けられている。
【００２７】
突出部５１，５２を、保持部材２の外面側１１に折り曲げて、雄のファスナー６０を雌のファスナー６１に押し込んで固定する。これにより突出部５１，５２に対応するファスナー４の部分をカバーすることができる。従って、子供の体、特に腰の部分と脚の部分が図３の保持部材２の内面側１０に載った場合であっても、ファスナー４が直接子供の脚に当たることがない。しかも、このカバー部材５０が、保持部材２の内面側１０に設けられていることで、第２の支持部材１３のベルト２０，２１が子供の脚に直接当たらないようになっている。
【００２８】
カバー部材５０は、図９に示すような断面構造を有している。図９は、図３のＡ−Ａ線における断面図であり、スポンジの板７０の両面をアクリル布のような布地７１でカバーし、そしてその両端をナイロンテープ７２で保護している構造である。
これによりカバー部材５０はクッション性があり、幼児の腰や臀部あるいは脚に対してソフトに当たることになる。
【００２９】
次に上述した本発明の子供の保持具の使用例を、図５ないし図８に基づいて説明する。
図５に示すように、最初に子供を保持しようとする場合には、第１の支持部材３を搬送者Ｃの腰Ｗに巻いて、図３の雄のバックル１４を雌のバックル１５に装着する。この際に長さの調整手段３ｂを調整することにより、ベルト部３ａの長さを搬送者Ｃの体形に合せて調整することができる。
この状態では保持部材２は、図２に示すように第２の支持部材１３を収納したままである。
【００３０】
次に、搬送者Ｃが図１の保持部材２のファスナー４のスライダー８を、図１の矢印Ｘ方向に動かして、保持部材２を開ける。そして保持部材２の中に収納されている第２の支持部材１３を図３のように展開する。そして第２の支持部材１３の調整バックル４３に対して第１ベルト２０の自由端２０ａを挿入してその長さを調整する。そして、搬送者Ｃの肩に肩当て４２を当てながら、図５に示すように第２の支持部材１３を搬送者Ｃの肩Ｓに掛ける。
【００３１】
次に、子供Ｋを次の要領で保持する。
まず保持部材２のカバー部材５０の突出部５１，５２を保持部材２の外面側１１に折り曲げて、図４に示す雄のファスナー６０，６０を図４に示す雌のファスナー６１，６１に固定する。これにより子供Ｋの腰Ｗ１、臀部Ｄ１および脚Ｌに対応する、特に脚Ｌに対応する部分のファスナー４の部分をカバーすることができ、このファスナー４が少なくとも子供Ｋの脚Ｌに直接当たることがなくなる。従ってファスナー４により子供Ｋの脚Ｌに疵が付いてしまうという虞れがなくなる。
【００３２】
図５に示すように、搬送者Ｃが子供Ｋを抱き上げて子供Ｋの腰Ｗ１、臀部Ｄ１を保持部材２の内面側１０、すなわちカバー部材５０の上に載せる。この際には子供Ｋの２本の脚Ｌ，Ｌが第２の支持部材１３と第１の支持部材３の間から左右に出ている。子供Ｋの背の部分Ｂは、背当てベルト２２および保持部材２の背当て部３０により確実に保持されている。これにより子供Ｋ、特に大きい子供Ｋを保持部材２の内面側１０に入れて保持する際に、子供Ｋが後に反るということを防ぐことができる。
【００３３】
なお子供Ｋの体型が大きい場合には、予め図３に示す背当てベルト２２の調整バックル３４ａ，３４ｂを外すことにより、容易に大きい体型の子供を保持部材２の内面側１０上に載せることができる。
このようにして子供Ｋは、第１の支持部材３、第２の支持部材１３、保持部材２により、搬送者Ｃの前面において確実に抱っこの状態で保持して搬送することができる。
【００３４】
図６は、図５で示す子供Ｋの保持状態を別の角度から示している。図６では、カバー部材５０の突出部５１側が示されている。この突出部５１は、子供Ｋの右脚Ｌに対してファスナー４が直接当たらないようにしている。第１の支持部材３の雄のバックル１４と雌のバックル１５が示されている。
【００３５】
図７は、図５における子供Ｋの搬送状態を搬送者Ｃの背中側から見た図である。  図８は、図７とは逆に子供Ｋの背中側から見た保持状態を示している。図８では保持部材２のカバー部材５０の突出部５１，５２が示されている。子供Ｋの右脚と左脚Ｌ，Ｌは、これらの突出部５１，５２により、ファスナー４には直接当たらないようになっている。また背当てベルト２２の調整バックルは、背当ての保護部材４０によりカバーされているので、子供Ｋの背中には直接当たらない。子供Ｋの背中は、この背当てベルト２２と、保持部材２の背当て部３０により確実に保持できるようになっている。
【００３６】
以上説明したように本発明の実施例では、図５に示すように第１の支持部材３を搬送者Ｃの腰Ｗに巻いて装着し、そして第２の支持部材１３を搬送者Ｃの肩Ｓに掛けるだけで、簡単に子供Ｋを保持部材２により前面側で抱っこ状態で保持することができる。
子供Ｋの保持状態をやめて子供Ｋを降ろした後には、図３に示すように調整バックル４３から自由端２０ａを外す。あるいはバックル４３に自由端２０ａを接続したままでもよい。そして第２の支持部材１３を保持部材２の内部に収めると共に、カバー部材５０の雄のファスナー６０，６０を雌のファスナー６１，６１から外して、突出部５１，５２を保持部材２の内面側１０に入れ込む。
【００３７】
この後ファスナー４のスライダー（図１参照）８を矢印Ｘ方向とは反対方向に移動することにより、保持部材２の３つの側部７，６，５を順次閉鎖していく。これにより図１に示すように第２の支持部材１３とカバー部材５０は保持部材２の内部に完全に収納された状態になる。
そして搬送者Ｃは、第１の支持部材３を外さずそのまま図２に示すような状態でコンパクトに子供の保持具１を保持しながら歩くことが可能である。これにより、従来の保持具のように、保持具を手で持ち歩く必要がなく、行動の自由度が上がる。
【００３８】
ところで本発明は上記実施例に限定されない。
上述した雄のファスナーと雌のファスナーは、好ましくはプラスチック製のものである。しかしプラスチック製のものに限らず他の形式のものを用いることができる。図１のファスナーも同様に金属やプラスチックを用いている。
また調整バックルも同様であり、好ましくはプラスチック製のものであるがこれに限らない。
第１の支持部材３と第２の支持部材１３の各ベルトの材質は、アクリルテープを袋とじ織り状にしたものに限らず、丈夫な材質であれば他の材質を用いることもできる。
【００３９】
また保持部材２の閉鎖手段としての機能を果すファスナー４の代わりに、他の形式の閉鎖部材を用いることができる。たとえば保持部材２の３つの側部５，６，７に沿って複数のボタン型のファスナーを配置するようにして、保持部材２を図１の状態のように閉じることも可能である。保持部材は、収納時には、図１に対して略長方形であるが、その他にたとえば半円形状であってもよい。
【００４０】
【発明の効果】
以上説明したように本発明によれば、子供を搬送しない状態で携帯する場合には、非常にコンパクトに収めて、常時搬送者の体にコンパクトに保持することができ、子供を搬送する場合にはその搬送状態から即座に展開して子供を保持することができる。
【図面の簡単な説明】
【図１】本発明の子供の保持具の好ましい実施例を示し、保持部材内部に各要素が収納された状態を示す図。
【図２】図１の子供の保持具を搬送者が搬送者の腰に装着した状態を示す図。
【図３】図２の保持部材の内部の要素を展開した状態を示す図。
【図４】図３に対応してその背面側を示す図。
【図５】図１ないし図４の保持具を用いて、搬送者が子供を保持している状態を示す図。
【図６】図５の子供の保持状態を別の角度から見た図。
【図７】図６の子供の保持状態をさらに別の角度から見た図。
【図８】子供の保持状態を子供の背中側から見た状態を示す図。
【図９】図３のＡ−Ａ線におけるカバー部材の断面構造を示す図。
【符号の説明】
１          子供の保持具
２          保持部材
３          第１の支持部材
３ｂ        調整手段（調整部材）
４          ファスナー（閉鎖手段）
５，６，７  保持部材の側部
１３        第２の支持部材
２０ａ      自由端
２２        背当てベルト（背当て）
３０        保持部材の背当て部（背当て）
４０        背当ての保護部材
４３        第２の支持部材の調整バックル（調整部材）
５０        カバー部材
６０，６０  雄のファスナー
６１，６１  雌のファスナー
【図１】
0003563116.tif 000002
【図２】
0003563116.tif 000003
【図３】
0003563116.tif 000004
【図４】
0003563116.tif 000005
【図５】
0003563116.tif 000006
【図６】
0003563116.tif 000007
【図７】
0003563116.tif 000008
【図８】
0003563116.tif 000009
【図９】
0003563116.tif 000010